(57)【特許請求の範囲】
【請求項１】
図柄背面に受ける太陽直射光および拡散天空光の入射光面の逆面の図柄面を、均一に高輝度発光させるための高輝度図柄発光表示シートであって、透明または半透明白色拡散板に接合する側から順次透明接着層と、透明フィルム層と、この透明フィルム層と接合する裏面に無数の所望形状の凹部を形成し、表面に図柄を表示した図柄表示層とよりなり、前記無数の凹部のうち一個置きに隣接する凹部には前記透明または半透明白色拡散板側から入射した光りを前記図柄表示層の表面側に透過するフラット面を形成し、前記無数の凹部のうち一個置きに隣接する他の凹部には、前記図柄表示層の表面側から入射した光りを反射するマイクロプリズム面を形成したことを特徴とする高輝度図柄発光表示シート。
【請求項２】
図柄背面に受ける太陽直射光および拡散天空光の入射光面の逆面の図柄面を、均一に高輝度発光させるための高輝度図柄発光表示体であって、透明または半透明白色拡散板と、この透明または半透明白色拡散板に接合する高輝度図柄発光表示シートとよりなり、この高輝度図柄発光表示シートは、前記透明または半透明白色拡散板に接合する側から順次、透明接着層と、透明フィルム層と、この透明フィルム層と接合する裏面に無数の所望形状の凹部を形成し、表面に図柄を表示した図柄表示層とよりなり、前記無数の凹部のうち一個置きに隣接する凹部には前記透明または半透明白色拡散板側から入射した光りを前記図柄表示層の表面側に透過するフラット面を形成し、前記無数の凹部のうち一個置きに隣接する他の凹部には、前記図柄表示層の表面側から入射した光りを反射するマイクロプリズム面を形成したことを特徴とする高輝度図柄発光表示体。
【請求項３】
透明または半透明白色拡散板に接合する側から順次、透明接着層と、透明フィルム層と、この透明フィルム層と接合する裏面に無数の所望形状の凹部を形成するとともに表面に図柄を表示した図柄表示層とよりなり、前記無数の凹部のうち一個置きに隣接する凹部には、前記透明または半透明白色拡散板側から入射した光りを前記図柄表示層の表面側に集束して透過するフレネルレンズを形成し、前記無数の凹部のうち一個置きに隣接する他の凹部には、前記図柄表示層の表面側から入射した光りを反射するマイクロプリズム面を形成したことを特徴とする高輝度図柄発光表示シート。
【請求項４】
図柄背面に受ける太陽直射光および拡散天空光の入射光面の逆面の図柄面を、均一に高輝度発光させるための高輝度図柄発光表示体であって、透明または半透明白色拡散板と、この透明または半透明白色拡散板に接合する高輝度図柄発光表示シートとより構成され、この高輝度図柄発光表示シートは、前記透明または半透明白色拡散板に接合する側から順次、透明接着層と、透明フィルム層と、この透明フィルム層と接合する裏面に無数の所望形状の凹部を形成するとともに表面に図柄を表示した図柄表示層とよりなり、前記無数の凹部のうち一個置きに隣接する凹部には、前記透明または半透明白色拡散板側から入射した光りを前記図柄表示層の表面側に集束して透過するフレネルレンズを形成し、前記無数の凹部のうち一個置きに隣接する他の凹部には、前記図柄表示層の表面側から入射した光りを反射するマイクロプリズム面を形成したことを特徴とする高輝度図柄発光表示体。
【請求項５】
図柄背面に受ける太陽直射光および拡散天空光の入射光面の逆面の図柄面を、均一に高輝度発光させるための高輝度図柄発光表示シートであって、透明または半透明白色拡散板に接合する側から順次、透明接着層と、透明フィルム層と、この透明フィルム層と接合する裏面に無数の所望形状の凹部を形成し、前記無数の凹部のうち一個置きに隣接する凹部に対向する表面に凸レンズを形成し、前記無数の凹部のうち一個置きに隣接する他の凹部は、この凹部に対向する表面側から入射した光りを反射するマイクロプリズム面を形成した高輝度発光層とよりなることを特徴とする高輝度図柄発光表示シート。
【請求項６】
図柄背面に受ける太陽直射光および拡散天空光の入射光面の逆面の図柄面を、均一に高輝度発光させるための高輝度図柄発光表示体であって、透明または半透明白色拡散板と、この透明または半透明白色拡散板に接合する高輝度図柄発光シートと、この高輝度図柄発光シートと対向する図柄を表面あるいは裏面に表示した図柄表示板とよりなり、前記高輝度図柄発光シートは、前記透明または半透明白色拡散板に接合する側から順次、透明接着層と、透明フィルム層と、この透明フィルム層と接合する裏面に無数の所望形状の凹部を形成し、前記無数の凹部のうち一個置きに隣接する凹部に対向する表面に凸レンズを形成し、前記無数の凹部のうち一個置きに隣接する他の凹部は、この凹部に対向する表面側から入射した光りを反射するマイクロプリズム面を形成した高輝度発光層とよりなることを特徴とする高輝度図柄発光表示体。
【請求項７】
図柄背面に受ける太陽直射光および拡散天空光の入射光面の逆面の図柄面を、均一に高輝度発光させるための高輝度図柄発光表示シートであって、透明または半透明白色拡散板に接合する側から順次、透明接着層と、透明フィルム層と、この透明フィルム層と接合する裏面に無数の所望形状の凹部を形成するとともに表面に図柄を表示した図柄表示層とよりなり、この図柄表示層に形成した前記無数の凹部のうち一個置きに隣接する凹部には、前記透明接着層側から入射した光りを図柄表示層の表面側に集束して透過させる凸レンズを形成し、前記無数の凹部のうち一個置きに隣接する他の凹部には、前記図柄表示層の表面側から入射した光りを反射するマイクロプリズム面を形成したことを特徴とする高輝度図柄発光表示シート。
【請求項８】
図柄背面に受ける太陽直射光および拡散天空光の入射光面の逆面の図柄面を、均一に高輝度発光させるための高輝度図柄発光表示体であって、透明または半透明白色拡散板と、この透明または半透明白色拡散板に接合する高輝度図柄発光表示シートとよりなり、この高輝度図柄発光表示シートは、前記透明または半透明白色拡散板に接合する側から順次、透明接着層と、透明フィルム層と、この透明フィルム層と接合する裏面に無数の所望形状の凹部を形成するとともに表面に図柄を表示した図柄表示層とよりなり、この図柄表示層に形成した前記無数の凹部のうち一個置きに隣接する凹部には、前記透明接着層側から入射した光りを図柄表示層の表面側に集束して透過させる凸レンズを形成し、前記無数の凹部のうち一個置きに隣接する他の凹部には、前記図柄表示層の表面側から入射した光りを反射するマイクロプリズム面を形成したことを特徴とする高輝度図柄発光表示体。
【発明の詳細な説明】
【０００１】
【産業上の利用分野】
この発明は、面発光板に表示した図柄の背面より受ける太陽直射光および拡散天空光を図柄面へ導光させて天空以上に均一に高輝度発光させることで、太陽直射光の逆光時および建造物や地形による逆光時の視認性の悪化状態において、極めて高い図柄の視認性および誘目性が得られることから、道路標識板、視線誘導表示器、鉄道関係標識板、港湾関係表示器、一般の看板、室内窓表示器等の全般に利用できる高輝度図柄発光表示体に関するものである。
【０００２】
【従来の技術】
従来の図柄表示装置（無照明型図柄表示装置）の昼間における図柄の視認確保は、太陽直射光および拡散天空光、建造物、路面、樹木等からの二次的散乱光による散乱発光または吸収で視認性および誘目性を得るものであり、夜間にあっては街路灯や建造物からの拡散光、車輻のヘッドライト、または外部に照明を備えて視認性および誘目性を得るものである。
【０００３】
また、内部照明図柄表示装置（内照型図柄表示装置）は昼間にあっては前記無照明型図柄表示装置と同様に図柄の視認性を確保させ、夜間においては内部照明を点灯させることにより図柄を発光させて視認させるものであった。
【０００４】
図柄表示装置を道路標識に適用した一例として、図１７乃至図２０によって説明すると、図１７の正面図および図１８の側面図で示す道路標識の構造は、標識基板２１上の白色反射シート２２上に、透明着色インク、非透明着色インク、または着色反射シートおよび着色非反射シートの組合せによる図柄１１を施してなるものである。
【０００５】
図１９は前記道路標識の作用の説明図であり、昼間にあっては前記図柄１１面に直接作用する太陽直射光および拡散天空光２３、二次的散乱光２４による図柄面の散乱発光または吸収で視認性および誘目性を得るものであり、夜間は車輻のヘッドライトＢによる回帰性反射光により視認性および誘目性を得るものであった。
【０００６】
図２０は内部照明を有する道路標識の構造を示す側断面図であり、ハウジング２５の先端開口に取付けた白色拡散板からなる表面板２８の裏面に図柄印刷２９を施し、夜間に図柄を発光させるために、前記ハウジング２５の内部に蛍光灯２６または電界発光するＥＬ素子板２７を備えて図柄を発光させ、視認性および誘目性を有するようにしたものであり、昼間の視認性および誘目性は前記無照明反射標識と同じである。
【０００７】
【発明が解決しようとする課題】
ところが、前記従来の技術の場合にあって、夜間は白色反射シートにヘッドライトが当たることにより、または内部照明および外部照明で図柄を照明することにより、図柄の視認性および誘目性は確保されるが、昼間における図柄の視認性および誘目性は、太陽直射光を含め天空拡散光の配光方向、建造物、地形による設置環境による配光方向によって鉛直面上にある図柄の照度は極めて大きく変化することである。
【０００８】
特に図１９に示すように、図柄背面から太陽直射光および天空拡散光Ａが入射する逆光時にあっては、眩惑現象および図柄面の環境照度比の低下や日陰現象を生じ、極めて図柄の視認性および誘目性が悪い状態を生じ、著しい場合には図柄の視認性が不可能となって、図柄の視認性および誘目性の全く無い現象が、昼間において多発していることが大きな問題点であり、これが解決しようとする大きな課題であった。
【０００９】
【課題を解決するための手段】
この発明は、前記課題を解決することを目的とし、その第１の発明の高輝度図柄発光表示体８は、図柄背面に受ける太陽直射光および拡散天空光の入射光面の逆面の図柄面を、均一に高輝度発光させるための高輝度図柄発光表示体であって、透明または半透明白色拡散板１と、この透明または半透明白色拡散板に接合する高輝度図柄発光表示シート２とよりなり、この高輝度図柄発光表示シート２は、前記透明または半透明白色拡散板１に接合する側から順次、透明接着層３と、透明フィルム層４と、この透明フィルム層４と接合する裏面に無数の所望形状の凹部５，６を形成し、表面に図柄を表示した図柄表示層７とよりなり、前記無数の凹部５，６のうち一個置きに隣接する凹部５には前記透明または半透明白色拡散板１側から入射した光りを前記図柄表示層７の表面側に透過するフラット面５ａを形成し、前記無数の凹部５，６のうち一個置きに隣接する他の凹部６には、前記図柄表示層７の表面側から入射した光りを反射するマイクロプリズム面６ａを形成したことを特徴とするものである。
【００１０】
また、第２の発明の高輝度図柄発光表示体８は、透明または半透明白色拡散板１と、この透明または半透明白色拡散板１に接合する高輝度図柄発光表示シート２とよりなり、この高輝度図柄発光表示シート２は、前記透明または半透明白色拡散板１に接合する側から順次、透明接着層３と、透明フィルム層４と、この透明フィルム層４と接合する裏面に無数の所望形状の凹部５，６を形成するとともに表面に図柄を表示した図柄表示層７とよりなり、前記無数の凹部５，６のうち一個置きに隣接する凹部５には、前記透明または半透明白色拡散板側１から入射した光りを前記図柄表示層７の表面側に集束して透過するフレネルレンズ５ｂを形成し、前記無数の凹部のうち一個置きに隣接する他の凹部６には、前記図柄表示層７の表面側から入射した光りを反射するマイクロプリズム面６ａを形成したことを特徴としたものである。
【００１１】
また、第３の発明の高輝度図柄発光表示体８は、透明または半透明白色拡散板１と、この透明または半透明白色拡散板１に接合する高輝度図柄発光シート２と、この高輝度図柄発光シート２と対向する図柄を表面あるいは裏面に表示した図柄表示板９とよりなり、前記高輝度図柄発光シート２は、前記透明または半透明白色拡散板１に接合する側から順次、透明接着層３と、透明フィルム層４と、この透明フィルム層４と接合する裏面に無数の所望形状の凹部５，６を形成し、前記無数の凹部５，６のうち一個置きに隣接する凹部５に対向する表面に凸レンズ５ｃを形成し、前記無数の凹部５，６のうち一個置きに隣接する他の凹部６には、この凹部６に対向する表面側から入射した光りを反射するマイクロプリズム面６ａを形成した高輝度発光層７′とよりなることを特徴としたものである。
【００１２】
また、第４の発明の高輝度図柄発光表示体８は、透明または半透明白色拡散板１と、この透明または半透明白色拡散板１に接合する高輝度図柄発光表示シート２とよりなり、この高輝度図柄発光表示シート２は、前記透明または半透明白色拡散板１に接合する側から順次、透明接着層３と、透明フィルム層４と、この透明フィルム層４と接合する裏面に無数の所望形状の凹部５，６を形成するとともに表面に図柄を表示した図柄表示層７とよりなり、この図柄表示層７の裏面に形成した無数の凹部５，６のうち一個置きに隣接する凹部５には、前記透明または半透明白色拡散板１側から入射した光りを前記図柄表示層７の表面側に集束して透過する凸レンズ５ｄを形成し、前記無数の凹部のうち一個置きに隣接する他の凹部６には、前記図柄表示層７の表面側から入射した光りを反射するマイクロプリズム面６ａを形成したことを特徴とするものである。
【００１３】
【作用】
前記第１の発明のような高輝度図柄発光表示体８にしたことにより、透明または半透明白色拡散板１の背面に受ける太陽直射光および拡散天空光Ａは、この透明または半透明白色拡散板１と透明接着層３と透明フィルム層４とを透過し、さらに図柄表示層７の裏面に形成した凹部５のフラット面５ａを透過して、図柄表示層７の表面に表示した図柄を高輝度発光させて、昼間の特に逆光時における図柄の視認性および誘目性が極めて高くなる。
一方、夜間に自動車のヘッドライトＢが図柄表示層７の表面に入射すると、図柄表示層７の裏面に形成した凹部６のマイクロプリズム面６ａで反射し、図柄表示層７の表面に表示した図柄を高輝度発光させて、夜間の図柄の視認性および誘目性が極めて高くなる。
【００１４】
また、前記第２の発明のような高輝度図柄発光表示体８にしたことにより、透明または半透明白色拡散板１の背面に受ける太陽直射光および拡散天空光Ａは、この透明または半透明白色拡散板１と透明接着層３と透明フィルム層４とを透過し、さらに図柄表示層７の裏面に形成した凹部５のフレネルレンズ５ｂを集束して透過し、図柄表示層７の表面に表示した図柄を高輝度発光させて、昼間の特に逆光時における図柄の視認性および誘目性が極めて高くなる。
一方、夜間に自動車のヘッドライトＢが図柄表示層７の表面に入射すると、図柄表示層７の裏面に形成した凹部６のマイクロプリズム面６ａで反射し、図柄表示層７の表面に表示した図柄を高輝度発光させて、夜間の図柄の視認性および誘目性が極めて高くなる。
【００１５】
また、前記第３の発明のような高輝度図柄発光表示体８にしたことにより、透明または半透明白色拡散板１の背面に受ける太陽直射光および拡散天空光Ａは、この透明または半透明白色拡散板１と透明接着層３と透明フィルム層４とを透過し、さらに、高輝度発光層７′の裏面に形成した凹部５に対向する表面に形成した凸レンズ５ｃを集束して透過し、この高輝度発光層７′と対向する図柄を表面あるいは裏面に表示した図柄表示板９の図柄を高輝度発光させて、昼間の特に逆光時における図柄の視認性および誘目性が極めて高くなる。
一方、夜間に自動車のヘッドライトＢが図柄を表面あるいは裏面に表示した図柄表示板９を透過し、さらに、高輝度発光層７′の裏面に形成した凹部６のマイクロプリズム面６ａで反射し、前記図柄表示板９に表示した図柄を高輝度発光させて、夜間の図柄の視認性および誘目性が極めて高くなる。
【００１６】
また、前記第４の発明のような高輝度図柄発光表示体８にしたことにより、透明または半透明白色拡散板１の背面に受ける太陽直射光および拡散天空光Ａは、この透明または半透明白色拡散板１と透明接着層３と透明フィルム層４とを透過し、さらに図柄表示層７の裏面に形成した凹部５の凸レンズ５ｄを透過して集束され、図柄表示層７の表面に表示した図柄を高輝度発光させて、昼間の特に逆光時における図柄の視認性および誘目性が極めて高くなる。
一方、夜間に自動車のヘッドライトＢが図柄表示層７の表面に入射すると、図柄表示層７の裏面に形成した凹部６のマイクロプリズム面６ａで反射し、図柄表示層７の表面に表示した図柄を高輝度発光させて、夜間の図柄の視認性および誘目性が極めて高くなる。
【００１７】
以上のように作用すことで、昼間の逆光時の図柄の視認性の悪化の状態を、逆に視認性および誘目性が極めて高い状態に反転させる作用効果を生み出すことができ、昼夜間共に常に明確に図柄を表示することができる高輝度図柄発光表示体を提供することができる。
【００１８】
【実施例】
以下、この発明の高輝度図柄発光表示体の実施例について詳細に説明するが、この発明はこの実施例に限定されるものではなく、その実施態様を多少変えるように設計変更することは可能である。
【００１９】
図１乃至図４は第１の発明の実施例を示し、図１はこの発明の高輝度図柄発光表示体の一部を表面側から見た斜視図、図２は図１のＣ−Ｃ線における断面図、図３はこの高輝度図柄発光表示体の一部を表面側から見た拡大斜視図、図４はこの高輝度図柄発光表示体の作用を説明する図である。
【００２０】
これらの図において、１は透明または半透明白色拡散板、２はこの透明または半透明白色拡散板１に接合する高輝度図柄発光表示シートであり、この高輝度図柄発光表示シート２は、前記透明または半透明白色拡散板１に接合される側から順次、透明接着層３と、透明フィルム層４と、この透明フィルム層４と接合される裏面に無数の所望形状の凹部５，６を形成し、表面に図柄を表示した図柄表示層７とよりなっている。
【００２１】
前記図柄表示層７の裏面に形成した前記無数の凹部５，６のうち一個置きに隣接する凹部５には前記透明または半透明白色拡散板１側から入射した光りを前記図柄表示層７の表面側に透過するフラット面５ａを形成し、前記無数の凹部のうち一個置きに隣接する他の凹部６には、前記図柄表示層７の表面側から入射した光りを反射するマイクロプリズム面６ａを形成している。
【００２２】
この第１の発明の高輝度図柄発光表示体は、図４に示すように、前記透明または半透明白色拡散板１の背面に受ける太陽直射光および拡散天空光Ａは、この透明または半透明白色拡散板１と透明接着層３と透明フィルム層４とを透過し、さらに図柄表示層７の裏面に形成した凹部５のフラット面５ａを透過して、図柄表示層７の表面に表示した図柄を高輝度発光させて、昼間の特に逆光時における図柄の視認性および誘目性が極めて高くなる。
【００２３】
一方、夜間に自動車のヘッドライトＢが図柄表示層７の表面に入射すると、図柄表示層７の裏面に形成した凹部６のマイクロプリズム面６ａで反射し、図柄表示層７の表面に表示した図柄を高輝度発光させて、夜間の図柄の視認性および誘目性が極めて高くなる。
【００２４】
図５乃至図８は第２の発明の実施例を示し、図５はこの発明の高輝度図柄発光表示体の一部を表面側から見た斜視図、図６は図５のＤ−Ｄ線における断面図、図７はこの高輝度図柄発光表示体の一部を表面側から見た拡大斜視図、図８はこの高輝度図柄発光表示体の作用を説明する図である。
【００２５】
この第２の発明が前記第１の発明と相違する点は、前記図柄表示層７の裏面に形成した前記無数の凹部５，６のうち一個置きに隣接する凹部５に、透明または半透明白色拡散板１側から入射した光りを図柄表示層７の表面側に集束して透過するフレネルレンズ５ｂを形成し、前記無数の凹部のうち一個置きに隣接する他の凹部６には、前記図柄表示層７の表面側から入射した光りを反射するマイクロプリズム面６ａを形成した点である。
【００２６】
この第２の発明の高輝度図柄発光表示体８においては、図８に示すように、透明または半透明白色拡散板１の背面に受ける太陽直射光および拡散天空光Ａは、この透明または半透明白色拡散板１と透明接着層３と透明フィルム層４とを透過し、さらに図柄表示層７の裏面に形成した凹部５のフレネルレンズ５ｂを集束して透過し、図柄表示層７の表面に表示した図柄を高輝度発光させて、昼間の特に逆光時における図柄の視認性および誘目性が極めて高くなる。
【００２７】
一方、夜間に自動車のヘッドライトＢが図柄表示層７の表面に入射すると、図柄表示層７の裏面に形成した凹部６のマイクロプリズム面６ａで反射し、図柄表示層７の表面に表示した図柄を高輝度発光させて、夜間の図柄の視認性および誘目性が極めて高くなる。
【００２８】
図９乃至図１２は第３の発明の実施例を示し、図９はこの発明の高輝度図柄発光表示体の一部を表面側から見た斜視図、図１０は図９のＥ−Ｅ線における断面図、図１１はこの高輝度図柄発光表示体の一部を表面側から見た拡大斜視図、図１２はこの高輝度図柄発光表示体の作用を説明する図である。
【００２９】
この第３の発明が前記第２の発明と相違する点は、透明または半透明白色拡散板１と、この透明または半透明白色拡散板１に接合する高輝度図柄発光シート２と、この高輝度図柄発光シート２と対向する図柄を表面あるいは裏面に表示した図柄表示板９とよりなり、前記高輝度図柄発光シート２は、前記透明または半透明白色拡散板１に接合する側から順次、透明接着層３と、透明フィルム層４と、この透明フィルム層４と接合する裏面に無数の所望形状の凹部５，６を形成し、前記無数の凹部５，６のうち一個置きに隣接する凹部５に対向する表面に凸レンズ５ｃを形成し、前記無数の凹部５，６のうち一個置きに隣接する他の凹部６には、この凹部６に対向する表面側から入射した光りを反射するマイクロプリズム面６ａを形成した高輝度発光層７′とよりなる。
【００３０】
この第３の発明の高輝度図柄発光表示体においては、図１２に示すように、この高輝度図柄発光表示体８を構成する前記透明または半透明白色拡散板１の背面に受ける太陽直射光および拡散天空光Ａは、この透明または半透明白色拡散板１と透明接着層３と透明フィルム層４とを透過し、さらに、高輝度発光層７′の裏面の凹部５に対向する表面に形成した凸レンズ５ｃを集束して透過し、高輝度発光層７′に対向させた図柄表示板９に表示した図柄を高輝度発光させて、昼間の特に逆光時における図柄の視認性および誘目性が極めて高くなる。
【００３１】
一方、夜間に自動車のヘッドライトＢが図柄表示板９の表面に入射して透過すると、高輝度発光層７′の裏面に形成した凹部６のマイクロプリズム面６ａで反射し、図柄表示板９に表示した図柄を高輝度発光させて、夜間の図柄の視認性および誘目性が極めて高くなる。
【００３２】
図１３乃至図１５は第４の発明の実施例を示し、図１３はこの発明の高輝度図柄発光表示体の一部を表面側から見た斜視図、図１４は図１３のＦ−Ｆ線における断面図、図１５はこの高輝度図柄発光表示体８の作用を説明する図である。
【００３３】
この第４の発明が前記第１、第２、第３の発明と相違する点は、透明または半透明白色拡散板１と、この透明または半透明白色拡散板１に接合する高輝度図柄発光表示シート２とよりなり、この高輝度図柄発光表示シート２は、前記透明または半透明白色拡散板１に接合する側から順次、透明接着層３と、透明フィルム層４と、この透明フィルム層４と接合する裏面に無数の所望形状の凹部５，６を形成するとともに表面に図柄を表示した図柄表示層７とよりなり、この図柄表示層７の裏面に形成した無数の凹部５，６のうち一個置きに隣接する凹部５には、前記透明または半透明白色拡散板側１から入射した光りを前記図柄表示層７の表面側に集束して透過する凸レンズ５ｄを形成し、前記無数の凹部のうち一個置きに隣接する他の凹部６には、前記図柄表示層７の表面側から入射した光りを反射するマイクロプリズム面６ａを形成したものである。
【００３４】
この第４の発明の高輝度図柄発光表示体８においては、図１５に示すように、この発明の高輝度図柄発光表示体８を構成する前記透明または半透明白色拡散板１の背面に受ける太陽直射光および拡散天空光Ａは、この透明または半透明白色拡散板１と透明接着層３と透明フィルム層４とを透過し、さらに、図柄表示層７の裏面に形成した凹部５の凸レンズ５ｄを集束して透過し、この図柄表示層７に表示した図柄を高輝度発光させて、昼間の特に逆光時における図柄の視認性および誘目性が極めて高くなる。
【００３５】
一方、夜間に自動車のヘッドライトＢが図柄表示層７の表面に入射すると、この図柄表示層７の裏面に形成した凹部６のマイクロプリズム面６ａで反射し、前記図柄表示層７に表示した図柄を高輝度発光させて、夜間の図柄の視認性および誘目性が極めて高くなる。
【００３６】
【発明の効果】
この第１の発明の高輝度図柄発光表示体は、以上説明したように構成したので、逆光時に透明または半透明白色拡散板の背面に受ける太陽直射光および拡散天空光は、この透明または半透明白色拡散板と透明接着層と透明フィルム層とを透過し、さらに、図柄表示層の裏面に形成Ｌた凹部のフラット面を透過して、図柄表示層の表面に表示した図柄を高輝度発光させるので、昼間の逆光時の図柄の視認性の悪化の状態を、逆に視認性および誘目性が極めて高い状態に反転させる効果がある。
【００３７】
この第２の発明の高輝度図柄発光表示体は、以上説明したように構成したので、逆光時に透明または半透明白色拡散板の背面に受ける太陽直射光および拡散天空光は、この透明または半透明白色拡散板と透明接着層と透明フィルム層とを透過し、さらに、図柄表示層の裏面に形成した凹部のフレネルレンズを集束して透過して、図柄表示層の表面に表示した図柄を高輝度発光させるので、昼間の逆光時の図柄の視認性の悪化の状態を、逆に視認性および誘目性が極めて高い状態に反転させる効果がある。
【００３８】
この第３の発明の高輝度図柄発光表示体は、以上説明したように構成したので、逆光時に透明または半透明白色拡散板の背面に受ける太陽直射光および拡散天空光は、この透明または半透明白色拡散板と透明接着層と透明フィルム層とを透過し、さらに、高輝度発光層の裏面の凹部に対向する表面に形成した凸レンズを集束して透過し、この高輝度発光層に対向した設けた図柄表示板に表示した図柄を高輝度発光させるので、昼間の逆光時の図柄の視認性の悪化の状態を、逆に視認性および誘目性が極めて高い状態に反転させる効果がある。
【００３９】
この第４の発明の高輝度図柄発光表示体は、以上説明したように構成したので、逆光時に透明または半透明白色拡散板の背面に受ける太陽直射光および拡散天空光は、この透明または半透明白色拡散板と透明接着層と透明フィルム層とを透過し、さらに、図柄表示層の裏面の凹部に形成した凸レンズを集束して透過し、この図柄表示層の表面に表示した図柄を高輝度発光させるので、昼間の逆光時の図柄の視認性の悪化の状態を、逆に視認性および誘目性が極めて高い状態に反転させる効果がある。
【００４０】
また、この第１、第２、第４の発明の高輝度図柄発光表示体は、夜間に自動車のヘッドライトが図柄表示層の表面に入射すると、この図柄表示層の裏面に形成した凹部のマイクロプリズム面で反射し、図柄表示層の表面に表示した図柄を高輝度発光させて、夜間の図柄の視認性および誘目性が極めて高くなる。
【００４１】
また、この第３の発明の高輝度図柄発光表示体は、夜間に自動車のヘッドライトが図柄表示板を透過して高輝度発光層の表面に入射すると、この高輝度発光層の裏面に形成した凹部のマイクロプリズム面で反射し、前記図柄表示板に表示した図柄を高輝度発光させて夜間の図柄の視認性および誘目性が極めて高くなる。
【図面の簡単な説明】
【図１】第１の発明の高輝度図柄発光表示体の一部を表面側から見た斜視図である。
【図２】図１のＣ−Ｃ線における断面図である。
【図３】第１の発明の高輝度図柄発光表示体の一部を表面側から見た拡大斜視図である。
【図４】第１の発明の高輝度図柄発光表示体の作用を説明する図である。
【図５】第２の発明の高輝度図柄発光表示体の一部を表面側から見た斜視図である。
【図６】図５のＤ−Ｄ線における断面図である。
【図７】第２の発明の高輝度図柄発光表示体の一部を表面側から見た拡大斜視図である。
【図８】第２の発明の高輝度図柄発光表示体の作用を説明する図である。
【図９】第３の発明の高輝度図柄発光表示体の一部を表面側から見た斜視図である。
【図１０】図９のＥ−Ｅ線における断面図である。
【図１１】第３の発明の高輝度図柄発光表示体の一部を表面側から見た拡大斜視図である。
【図１２】第３の発明の高輝度図柄発光表示体の作用を説明する図である。
【図１３】第４の発明の高輝度図柄発光表示体の一部を表面側から見た斜視図である。
【図１４】図１３のＦ−Ｆ線における断面図である。
【図１５】第４の発明の高輝度図柄発光表示体の作用を説明する図である。
【図１６】この発明の高輝度図柄発光表示体を道路標識として適用した正面図である。
【図１７】従来の道路標識の正面図である。
【図１８】従来の道路標識の側面図である。
【図１９】従来の道路標識の作用の説明図である。
【図２０】従来の内部照明標識の構造を示す側断面図である。
【符号の説明】
１      透明または半透明白色拡散板
２      高輝度図柄発光表示シート
３      透明接着層
４      透明フィルム層
５      凹部
５ａ      フラット面
５ｂ      フレネルレンズ
５Ｃ      凸レンズ
５ｄ      凸レンズ
６      凹部
６ａ      マイクロプリズム面
７      図柄表示層
７′    高輝度発光層
８      高輝度図柄発光表示体
９      図柄表示板
１１      図柄
２１      標識基板
２２      白色反射シート
２３      太陽直射光および拡散天空光
２４      二次的散乱光
２５      ハウジング
２６      蛍光灯
２７      ＥＬ素子板
２８      表面板
２９      図柄印刷
Ａ      太陽直射光および天空拡散光
Ｂ      ヘッドライト
【図１】
0003624267.tif 000002
【図２】
0003624267.tif 000003
【図３】
0003624267.tif 000004
【図４】
0003624267.tif 000005
【図５】
0003624267.tif 000006
【図６】
0003624267.tif 000007
【図７】
0003624267.tif 000008
【図８】
0003624267.tif 000009
【図９】
0003624267.tif 000010
【図１０】
0003624267.tif 000011
【図１１】
0003624267.tif 000012
【図１２】
0003624267.tif 000013
【図１３】
0003624267.tif 000014
【図１４】
0003624267.tif 000015
【図１５】
0003624267.tif 000016
【図１６】
0003624267.tif 000017
【図１７】
0003624267.tif 000018
【図１８】
0003624267.tif 000019
【図１９】
0003624267.tif 000020
【図２０】
0003624267.tif 000021